【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
ＤＵＴを搭載したテスト・ベンチに接続されたテスト機器を含むシステムにおいて、
ユーザによって与えられるコンテキスト・データの統合記憶を行うための方法であって、
前記ＤＵＴの外部の環境に関連したパラメータを含む前記コンテキスト・データを収集するステップと、
前記システムに関連し、前記ＤＵＴに外部に配設されたメモリに前記コンテキスト・データを記憶するステップと、
前記コンテキスト・データを、前記テスト機器によって前記テスト・ベンチから収集されたテスト・データに対応づけるステップと、
前記コンテキスト・データと前記テスト機器に関するテスト・セットアップ・データを対応づけるステップとを設けて成る方法。
【請求項２】
前記システムにコンピュータが含まれていることと、前記メモリが前記コンピュータと関連していることと、
前記コンテキスト・データを前記テスト・データに対応づけるステップに、
前記テスト機器から前記コンピュータに前記テスト・データを転送するステップと、
前記コンピュータの前記メモリに前記テスト・データを記憶するステップとをが含むことを特徴とする、請求項１に記載の方法。
【請求項３】
前記コンテキスト・データを前記テスト・データに対応づけるステップに、
前記テスト機器から前記コンピュータに前記テスト・セットアップ・データを転送するステップと、
前記コンピュータの前記メモリに前記テスト・セットアップ・データを記憶するステップとを含むことを特徴とする、請求項２に記載の方法。
【請求項４】
前記メモリが前記テスト機器に内蔵され、かつ、
前記テスト・データを前記メモリに記憶するステップと、
前記テスト・セットアップ・データを前記メモリに記憶するステップとを、さらに含むことを特徴とする請求項１から３のいずれかに記載の方法。
【請求項５】
前記コンテキスト・データを収集するステップに、テキスト型コンテキスト・データを収集するステップを、さらに、含むことを特徴とする請求項１から４のいずれかに記載の方法。 
【請求項６】
前記コンテキスト・データを収集するステップに、
オーディオ型コンテキスト・データを収集するステップを、さらに、含むことを特徴とする、請求項１から４いずれかに記載の方法。
【請求項７】
前記コンテキスト・データを前記テスト・データに対応づけるステップに、前記テスト・データを第１のファイル名によって識別されるディスク・ファイルに記憶するステップが含まれることと、前記第１のファイル名に、共通部分と一義的部分が含まれていることと、
前記コンテキスト・データを記憶するステップに、前記コンテキスト・データを第２のファイル名によって識別されるディスク・ファイルに記憶するステップが含まれていることと、前記第２のファイル名に、前記第１のファイル名の前記共通部分とほぼ同じ共通部分と、一義的部分が含まれていることを特徴とする、請求項１から６のいずれかに記載の方法。
【請求項８】
前記コンテキスト・データを前記テスト・セットアップ・データに対応づけるステップに、
前記テスト・セットアップ・データを第１のファイル名によって識別されるディスク・ファイルに記憶するステップが含まれていることと、前記第１のファイル名に、共通部分と一義的部分が含まれていることと、
前記コンテキスト・データを記憶するステップに、前記コンテキスト・データを第２のファイル名によって識別されるディスク・ファイルに記憶するステップが含まれていることと、前記第２のファイル名に、前記第１のファイル名の前記共通部分とほぼ同じ共通部分と、一義的部分が含まれていることを特徴とする、請求項１から７のいずれかに記載の方法。
【請求項９】
前記コンテキスト・データと前記テスト・データを対応づけるステップが、
前記テスト・データを、共通部分と一義的部分が含まれる第１のファイル名によって識別されるディスク・ファイルに記憶するステップを含み、
前記コンテキスト・データと前記テスト・セットアップ・データを対応づけるステップが、
前記テスト・セットアップ・データを、前記第１のファイル名の前記共通部分とほぼ同じ共通部分と、一義的部分が含まれている第２のファイル名によって識別されるディスク・ファイルに記憶するステップを含み、かつ、
前記コンテキスト・データを記憶するステップが、
前記コンテキスト・データを、前記第１のファイル名の前記共通部分とほぼ同じ共通部分と、一義的部分が含まれている第３のファイル名によって識別されるディスク・ファイルに記憶するステップが含むことを特徴とする、請求項１から８のいずれかに記載の方法。
【請求項１０】
前記コンテキスト・データを前記テスト・データに対応づけるステップが、
前記テスト・データをディスク・ファイルの第１のセクションに記憶するステップを含み、
前記コンテキスト・データを記憶するステップが、
前記コンテキスト・データを前記ディスク・ファイルの第２のセクションに記憶するステップを含むことを特徴とする、請求項１から９のいずれかに記載の方法。
【請求項１１】
前記コンテキスト・データを前記テスト・セットアップ・データに対応づけるステップが、
前記テスト・セットアップ・データをディスク・ファイルの第１のセクションに記憶するステップを含み、
前記コンテキスト・データを記憶するステップが、
前記コンテキスト・データを前記ディスク・ファイルの第２のセクションに記憶するステップを含むことを特徴とする、請求項１から１０のいずれかに記載の方法。
【請求項１２】
前記コンテキスト・データを前記テスト・データに対応づけるステップが、
前記テスト・データをディスク・ファイルの第１のセクションに記憶するステップを含み、
前記コンテキスト・データを前記テスト・セットアップ・データに対応づけるステップが、
前記テスト・セットアップ・データをディスク・ファイルの第２のセクションに記憶するステップを含み、
前記コンテキスト・データを記憶するステップが、
前記コンテキスト・データを前記ディスク・ファイルの第３のセクションに記憶するステップを含むことを特徴とする、請求項１から９のいずれかに記載の方法。
【請求項１３】
前記コンテキスト・データを前記テスト・データに対応づけるステップに、
前記テスト・データを識別されたテスト環境に対応づけるエントリをルックアップ・テーブルにおいて生成するステップが含まれることと、
前記コンテキスト・データを記憶するステップに、
前記コンテキスト・データを前記テスト環境に対応づける情報を前記エントリに付加するステップが含まれていることを特徴とする、請求項１から１２のいずれかに記載の方法。 
【請求項１４】
前記コンテキスト・データを前記テスト・セットアップ・データに対応づけるステップに、
前記テスト・セットアップ・データを識別されたテスト環境に対応づけるエントリをルックアップ・テーブルにおいて生成するステップが含まれることと、
前記コンテキスト・データを記憶するステップに、
前記コンテキスト・データを前記テスト環境に対応づける情報を前記エントリに付加するステップが含まれていることを特徴とする、請求項１から１３のいずれかに記載の方法。
【請求項１５】
前記コンテキスト・データを前記テスト・データに対応づけるステップが、
前記テスト・データを識別されたテスト環境に対応づけるエントリをルックアップ・テーブルにおいて生成するステップを含み、
前記コンテキスト・データを前記テスト・セットアップ・データに対応づけるステップが、
前記テスト・セットアップ・データを識別されたテスト環境に対応づける前記エントリに情報を追加するステップを含み、かつ、
前記コンテキスト・データを記憶するステップが、
前記コンテキスト・データを識別されたテスト環境に対応づける前記エントリに情報を追加するステップを含むことを特徴とする、請求項１から１４のいずれかに記載の方法。
【請求項１６】
ＤＵＴを搭載したテスト・ベンチに接続されたテスト機器を含むシステムにおいて、
前記テスト機器に内蔵され、ユーザによって与えられるコンテキスト・データの統合記憶を行うための装置であって、
前記ＤＵＴの外部の環境に関連したパラメータを含む前記コンテキスト・データを収集するように動作する入力装置と、
前記ＤＵＴの外部に設けられたメモリ装置と、
前記メモリ装置及び前記入力装置に接続されたプロセッサとを備えており、
前記プロセッサが、前記入力装置から前記コンテキスト・データを受信することと、前記プロセッサが、前記コンテキスト・データを前記メモリ装置に記憶することと、前記プロセッサが、前記ＤＵＴからテスト・データを受信することと、前記プロセッサが、前記コンテキスト・データに関連させて前記テスト・データを記憶するとと、前記プロセッサが、前記コンテキスト・データに関連させて前記テスト機器に関連したテスト・セットアップ・データを記憶することを特徴とする装置。
【請求項１７】
前記入力装置に、テキスト型コンテキスト・データを収集するためのキーボードが含まれていることを特徴とする、請求項１６に記載の装置。 
【請求項１８】
前記入力装置に、オーディオ型コンテキスト・データ収集装置が含まれていることを特徴とする、請求項１６に記載の装置。
【請求項１９】
ＤＵＴを搭載したテスト・ベンチに接続されたテスト機器を含むシステムにおいて、
ユーザによって与えられるコンテキスト・データの統合記憶を行うための装置であって、
前記コンテキスト・データを収集するように動作する入力装置とメモリ装置を含むコンピュータと、
前記テスト機器と前記コンピュータを接続する信号経路であって、前記信号経路を介して、前記テスト機器と前記コンピュータとが前記ＤＵＴと対応づけられたテスト・データを通信し、かつ、前記信号経路を介して、前記テスト機器と前記コンピュータとが前記テスト機器と対応づけられたテスト・セットアップ・データを通信する特徴を有する信号経路とを有し、
前記コンピュータが、前記入力装置から前記コンテキスト・データを受信することと、
前記コンピュータが、前記コンテキスト・データを前記メモリ装置に記憶することと、
前記コンピュータが、前記テスト機器からテスト・データを受信することと、
前記コンピュータが、前記コンテキスト・データに関連させて前記テスト・データを記憶するとと、
前記コンピュータが、前記コンテキスト・データに関連させて前記テスト・セットアップ・データを記憶することを特徴とする装置。
【請求項２０】
前記入力装置に、テキスト型コンテキスト・データを収集するためのキーボードが含まれていることを特徴とする、請求項１９に記載の装置。 
【請求項２１】
前記入力装置に、オーディオ型コンテキスト・データ収集装置が含まれていることを特徴とする、請求項１９に記載の装置。